(57)【要約】      （修正有）【課題】小型のＲＦＩＤタグ本体を用いても通信性能に優れるとともに安価であるばかりか、製造工程も複雑でなく再利用も可能なＲＦＩＤタグを備えた処方箋を提供する。【解決手段】メモリや制御部等を備えた半導体チップ等を有するＲＦＩＤタグ本体２１にアンテナ２２が接合されて前記メモリに記録された或いは記録される情報がアンテナ２２を介して送受信されるＲＦＩＤタグ２を備えた処方箋１において、ＲＦＩＤタグ２が紙製の処方箋本体１１に印刷された金属層により形成されるアンテナ２２とアンテナ２２に接合されるＲＦＩＤタグ本体２１とからなる。【選択図】図１
0003129548.tif 000002
【実用新案登録請求の範囲】
【請求項１】
メモリや制御部等を備えた半導体チップ等を有するＲＦＩＤタグ（無線認証タグ）本体にアンテナが接合されて前記メモリに記録された或いは記録される情報が前記アンテナを介して送受信されるＲＦＩＤタグ（無線認証タグ）を備えた処方箋において、前記ＲＦＩＤタグ（無線認証タグ）が前記紙製の処方箋本体に印刷された金属層により形成されるアンテナと前記アンテナに接合されるＲＦＩＤタグ（無線認証タグ）本体とからなることを特徴とするＲＦＩＤタグ（無線認証タグ）を備えた処方箋。
【請求項２】
前記金属層が電導性インクにより印刷される請求項１記載のＲＦＩＤタグ（無線認証タグ）を備えた処方箋。
【請求項３】
前記金属層が処方箋本体に含浸形成した耐湿層に印刷される請求項１または２記載の（無線認証タグ）を備えた処方箋。
【考案の詳細な説明】
【技術分野】
【０００１】
本考案は、医療機関で医師が作成する処方箋 、特に、記載されている処方箋情報を、医療機関や調剤薬局に設置されたコンピュータに入力して管理等の処理をするための無線認証タグ（以下「ＲＦＩＤタグ」という）を備えた処方箋に関するものである。
【背景技術】
【０００２】
従来より、多くの医療機関では、医師が手書きで作成した処方箋 の内容を、その医療機関の会計部門でレセプトコンピュータに入力して、処方箋 情報を管理していた。そして、特表２０００−５００３５７号公報において提示されるバーコート代わって、図３に示す２次元コード３を印刷した処方箋１を用いた医療管理システムが、例えば特開２００６−１８５１４３号公報、特開２００６−１９０２９３号公報などに提示されている。
【０００３】
この２次元コード３を印刷した処方箋１は、２次元コード３が漢字を初めとして多くの情報を記録可能であることから処方箋情報、殊に日本語での処方箋情報に適していた。
【０００４】
そして、２次元コード３を印刷した処方箋１は、例えば、バーコードを用いた処方箋と異なり、処方箋１に関する薬剤情報や患者の氏名や病歴、薬歴等の個人情報など多くの情報をも記録することができるという利点を有していた。
【０００５】
ところが、前記２次元コードを印刷した処方箋は、２次元コードは印刷により表記できることから簡易であるが、反面、情報量に限度があるばかりか印刷された情報を読み取るだけであり、情報を書き加えたり書き換えたりすることができず、更に、２次元コード読取機があれば誰でも情報を読み取ることができ、個人情報保護の点でも問題があった。
【０００６】
そこで、例えば特開２００６−９２１９７号公報に提示されているように、ＩＣタグを備えた処方箋が維持されている。
【０００７】
しかしながら、この処方箋に備えられたＩＣタグ（ＲＦＩＤタグ）はメモリや制御部等を備えた半導体チップ等を有するＲＦＩＤタグ本体にアンテナが接合したものであり、特に、無線による通信機能の拡大を図るとアンテナ部分が大型化することから全体として小型化が困難である。
【０００８】
また、従来のＲＦＩＤタグを備えた処方箋は、処方箋にＲＦＩＤタグを接着剤により貼り付けるものであった。そのため、処方箋を破棄するときにＩＣタグを剥がすことが困難であり、両者を分別処理して、リサイクルすることが困難であった。
【特許文献１】特開２００６−１８５１４３号公報
【特許文献２】特開２００６−１９０２９３号
【特許文献３】特開２００６−９２１９７号公報
【考案の開示】
【考案が解決しようとする課題】
【０００９】
本考案は、上記のような問題点を解決することを課題とするものであり、小型のＲＦＩＤタグ本体を用いても通信性能に優れるとともに安価であるばかりか、製造工程も複雑でなく再利用も可能なＲＦＩＤタグを備えた処方箋を提供するものである。
【課題を解決するための手段】
【００１０】
前記課題を解決するためになされた本考案に係るＲＦＩＤタグを備えた処方箋は、メモリや制御部等を備えた半導体チップ等を有するＲＦＩＤタグ本体にアンテナが接合されて前記メモリに記録された或いは記録される情報が前記アンテナを介して送受信されるＲＦＩＤタグを備えた処方箋において、ＲＦＩＤタグが前記紙製の処方箋本体に印刷された金属層により形成されるアンテナと前記アンテナに接合されるＲＦＩＤタグ本体とからなることを特徴とする。
【００１１】
本考案は紙製の処方箋本体に印刷された金属層により形成されるアンテナとアンテナに接合されるＲＦＩＤタグ本体とを別体としたことにより、使用済みの処方箋からＲＦＩＤタグ本体だけをきわめて容易に分離して再利用することができる。
【００１２】
また、本発明において、前記金属層が電導性インクにより印刷される場合にはきわめて簡単に薄い金属層を形成することができ、更に、前記金属層が処方箋本体に含浸形成した耐湿層に印刷される場合には、処方箋を形成する紙片が湿度による寸法変化が少なく伸び縮みしないので金属層にその影響が生じない。
【考案の効果】
【００１３】
本考案によれば、従来のＲＦＩＤタグを備えた処方箋と異なり、ＲＦＩＤタグが小型化されるとともにリサイクルにも適しており経済的に優れている。
【考案を実施するための最良の形態】
【００１４】
以下、図面に示した本考案の実施の形態について説明する。
【００１５】
図１は本考案の実施形態の一例であるＲＦＩＤタグ２を備えた処方箋１を示すものであり、ＲＦＩＤタグ２がメモリや制御部等を備えた半導体チップ等（図示せず）を有するＲＦＩＤタグ本体２１と紙製の処方箋本体１１に形成したアンテナ２２に接合されて構成される。
【００１６】
更に図２を参照して詳しく説明すると、処方箋１は、従来の処方箋と同様に通常の用紙により形成される。そして、ＲＦＩＤタグ本体２の接合部には処方箋本体に例えばガラス材やオレフィン系合成樹脂のような湿度が変化しても寸法に変化のない材質からなる耐湿層１１が含浸形成されており、その上に例えば銀を主成分とした従来から周知の電導性インクによる印刷層１２（アンテナ２２）が印刷されており、このアンテナ２２の表面に例えば溶融性の合成樹接着剤層１３を形成してＲＦＩＤタグ本体２１に突出させた金属バンプ２３，２３を接合、固着してＲＦＩＤタグ本体２にアンテナ２２を接合したＲＦＩＤタグ２を備えている。
【００１７】
このように本実施形態によれば、ＲＦＩＤタグ２の構成要素の内で比較的占有面積の大きなアンテナ２２を処方箋本体１１に形成したのできわめて小型のＲＦＩＤタグ本体２１を付設するだけでよく、使用後においてもアンテナ２２を含む処方箋本体１１とＲＦＩＤタグ本体２１とを接合している樹脂を溶融するなどの手段により接合状態を解除すればよく、従来のＲＦＩＤタグを貼付けることにより備えた処方箋と異なり、紙材をリサイクルするときに剥がす手間が不要で、ＲＦＩＤタグ本体２１だけを例えば接合を溶融により解除して分離して比重の違いなどにより分離して処理すればよく、紙材は勿論、回収したＲＦＩＤタグ本体２１もそのまま分別して廃棄処理することも可能で、或いは記録させてあった情報を削除して新たな情報を記録すれば簡単にリサイクルすることができる。
【００１８】
また、本実施形態では、処方箋本体１１を形成する用紙に直接電導性インクによる印刷層１２を印刷してアンテナ２２を形成せずに、処方箋本体１１にガラス材やオレフィン系合成樹脂のような湿度が変化しても寸法に変化のない材質からなる耐湿層１１を含浸形成し、その上に印刷層１２を印刷してアンテナ２２を形成したことにより、湿度によって印刷層１２（アンテナ２２）が変化しないので、湿度が変化して処方箋本体１１が伸縮したとしてもＲＦＩＤタグ本体２１とアンテナ２２との接合が常に良好である。
【００１９】
尚、本実施形態では、処方箋本体１１を通常の印刷用紙を用いた場合を示したので、耐湿層１１を含浸形成してその上にアンテナ２２を印刷により形成することにしたが、処方箋本体１１を通常の湿度により寸法が変化するものでなく、例えばポリオレフィン系の合成樹脂シート材のように、そのもの自体が耐湿性を有する素材より、或いはそれらの素材を紙材などとラミネートしたシート材を用いることにより耐湿性を有する印刷層を形成することができ、この場合には処方箋本体１１の全面が印刷層となるので使用箇所や使用目的に合わせた好適なアンテナを形成することができる（図示せず）。
【図面の簡単な説明】
【００２０】
【図１】本考案の実施の一形態に係る処方箋の正面図である。
【図２】図１に示した実施形態における腰部の拡大断面図。
【図３】従来例を示す説明図である。
【符号の説明】
【００２１】
１  処方箋、２  ＲＦＩＤタグ、１１  耐湿層、１２  印刷層、２１  ＲＦＩＤタグ本体、２２  アンテナ、２２  アンテナ
【図１】
0003129548.tif 000003
【図２】
0003129548.tif 000004
【図３】
0003129548.tif 000005
【手続補正書】
【提出日】平成18年12月5日(2006.12.5)
【手続補正１】
【補正対象書類名】実用新案登録請求の範囲
【補正対象項目名】全文
【補正方法】変更
【補正の内容】
【実用新案登録請求の範囲】
【請求項１】
メモリや制御部等を備えた半導体チップ等を有するＲＦＩＤタグ（無線認証タグ）本体にアンテナが接合されて前記メモリに記録された或いは記録される情報が前記アンテナを介して送受信されるＲＦＩＤタグ（無線認証タグ）を備えた処方箋において、前記ＲＦＩＤタグ（無線認証タグ）が前記紙製の処方箋本体に印刷された金属層により形成されるアンテナと前記アンテナに接合されるＲＦＩＤタグ（無線認証タグ）本体とからなることを特徴とするＲＦＩＤタグ（無線認証タグ）を備えた処方箋。
【請求項２】
前記金属層が電導性インクにより印刷される請求項１記載のＲＦＩＤタグ（無線認証タグ）を備えた処方箋。
【請求項３】
前記金属層が処方箋本体に含浸形成した耐湿層に印刷される請求項１または２記載のＲＦＩＤタグ（無線認証タグ）を備えた処方箋。